(57)【要約】【課題】両端を河川に渡らせるかたちで防油用仕切り部材を設置する場合に、防油用仕切り部材の河川の水面側部位と河川の岸の法面側部位との高低差が生じ、且つ、防油用仕切り部材が河川の水流の影響を受けて可動しても、河川の岸側において防油用仕切り部材が浮き上がるのを防止した防油用仕切り部材の浮き上がり防止装置を提供する。【解決手段】浮き上がり防止装置１は、ウエイトとなる液体収容体２と、この液体収容体２に内包されて浮きとしての機能を得るための気体収容体３との二重構造にする。液体収容体２は、ゴム等で形成されて現地の河川の水等を収容しても外形が不定形状を成し、注入口部２２と排出口部２３とを備えると共に、防油用仕切り部材１０に装着するための装着部として筒部２１を備えたものとする。気体収容体２は、ゴム等で形成されて空気を収容しても外形が不定形状を成し、吸排兼用開口部３１を備えたものとする。【選択図】図２
2015007322.tif 000002
【特許請求の範囲】
【請求項１】
加撓性を有する素材で形成されて液体を収容することで外形が不定形状を成す液体収容体と、加撓性を有する素材で形成されて気体を収容することで外形が不定形状を成すと共に前記液体収容体に内包される気体収容体とを有し、
前記液体収容体は、液体を注入するための第１の開口部と液体を外部に排出するための第２の開口部とを備えると共に、水流を有する水路の岸から水面に延ばした防油用仕切り部材に装着するための装着部が形成され、
前記気体収容体は、気体を外部から吸入し排出するための気体専用の開口部を備える
ことを特徴とする防油用仕切り部材の浮き上がり防止装置。
【請求項２】
前記防油用仕切り部材への装着時に前記液体収容体の上側となる面に、前記液体収容体を吊り下げるための金具が設けられている
ことを特徴とする請求項１に記載の防油用仕切り部材の浮き上がり防止装置。
【請求項３】
前記防油用仕切り部材への装着時に前記液体収容体の下側となる面に、前記液体収容体の滑り止めのために複数の突出部が設けられている
ことを特徴とする請求項１に記載の防油用仕切り部材の浮き上がり防止装置。
【発明の詳細な説明】
【技術分野】
【０００１】
この発明は、河川等の水流を有する水路への油の流出時に河川等の水路の下流側へ油が拡がるのを防止するためのオイルフェンス、その他の防油膜等の防油用仕切り部材が所定の部位で浮き上がるのを防止するための装置に関する。
【背景技術】
【０００２】
事故等により油が河川、その他の水流を有する水路に流出する場合があり、この場合には、特許文献１の図３等に示されるように、例えばオイルフェンス等の防油膜を河川に展張して、河川の水面及び一定の深度の水中を仕切り、油が河川の下流側に拡がらないようにしている。
【０００３】
また、特許文献２として、耐水性及び耐油性を有する隙間シール用補助膜本体と、この隙間シール用補助膜本体の一端に形成され、オイルフェンス本体の隙間シール取付部に取付け可能なオイルフェンス側装着端部と、隙間シール用補助膜本体の他端に形成され、船体に磁着する船体側装着端部とから成るオイルフェンス支持端部の隙間シール装置が開示されており、この装置では漏出した油を含んだ海水がオイルフェンス支持端部に存する隙間からオイルフェンス外へ流出するのを防止することを課題としている。
【先行技術文献】
【特許文献】
【０００４】
【特許文献１】特開２００６−２０２６９号公報
【特許文献２】特開２００６−１３２１５４号公報
【発明の概要】
【発明が解決しようとする課題】
【０００５】
オイルフェンス等の防油膜を河川に展張する場合に、本件の図８に示されるように、オイルフェンス等の防油用仕切り部材１００の端を河川１０１の岸周辺の法面１０２にある杭等の支持物１０３に固定する場合があるが、このように、河川１０１に岸から防油用仕切り部材１００を渡らせて設置する場合には、防油用仕切り部材１００は、河川の水面に位置する部位１００ａと河川の岸及びその周辺の法面に位置する部位１００ｂとの間で高低差が発生することとなる。このため、防油用仕切り部材１００が河川の水流の影響（張力）を受けて河川１０１の下流側等に可動し、防油用仕切り部材１００が前記図８の矢印に示されるように引っ張られる結果、防油用仕切り部材１００の河川と岸との境界部位１００ｃが浮き上がって、前記図８の円で囲んだ範囲に示されるように、防油用仕切り部材１００と河川１０１の水面との間に隙間が生じ、この隙間から油が下流側に流出してしまうことが考えられる。
【０００６】
一方、特許文献２に示されるオイルフェンス支持端部の隙間シール装置は、海上での漏出した油の囲い込みを想定したものであり、オイルフェンスの支持端部側部位とオイルフェンスの他の部位との間で高低差を生じないこと、並びに、海では一般的に速度の速い水流が生じないことを前提としているので、防油用仕切り部材を河川に渡らせらせたときに、防油用仕切り部材の河川の水面側の部位と河川の岸及びその周辺の法面側の部位との高低差、及び、河川の速度の速い水流を起因として生ずる、防油用仕切り部材と水面との隙間の解消を図る構成となっていない。
【０００７】
そこで、本発明は、両端を河川の岸周辺の法面や傾斜面にある杭等の支持物に固定して防油用仕切り部材を河川に渡らせるかたちで設置する場合に、防油用仕切り部材の河川の水面側の部位と河川の岸及びその周辺の法面側の部位との高低差が生じ、且つ、防油用仕切り部材が河川の水流の影響を受けて可動しても、河川と岸との境界部位において防油用仕切り部材が浮き上がるのを防止した防油用仕切り部材の浮き上がり防止装置を提供することを目的とする。
【課題を解決するための手段】
【０００８】
この発明に係る防油用仕切り部材の浮き上がり防止装置は、加撓性を有する素材で形成されて液体を収容することで外形が不定形状を成す液体収容体と、加撓性を有する素材で形成されて気体を収容することで外形が不定形状を成すと共に前記液体収容体に内包される気体収容体とを有し、前記液体収容体は、液体を注入するための第１の開口部と液体を外部に排出するための第２の開口部とを備えると共に、水流を有する水路の岸から水面に延ばした防油用仕切り部材に装着するための装着部が形成され、前記気体収容体は、気体を外部から吸入し排出するための気体専用の開口部を備えることを特徴としている（請求項１）。防油用仕切り部材は、例えばオイルフェンス等である。液体収容体に収容される液体は、水路を流れる水等である。気体収容体に収容される気体は、空気等である。防油用仕切り部材が配置される水流を有する水路は、主に河川であるがこれに限定されず、例えばダム湖等の人工湖や、人工の用水路、運河等であっても良い。
【０００９】
これにより、浮き上がり防止装置は、液体収容体に河川の水等の液体を第１の開口部から注入することで、液体収容体は重量を増すのでウエイト（重り）としての役割を果たすことができ、しかも液体が注入された液体収容体は外形が不定形状を成すので、設置する水路の岸の地形の影響を受け難い。そして、液体収容体に注入する液体量を可変することで液体が注入された液体収容体の重量を調整することができる。
また、浮き上がり防止装置は、気体収容体に空気等の気体を気体専用の開口部から吸入することで、浮き上がり防止装置を水路の岸に設置した場合に、水路内となる部位は気体収容体が浮きの機能を有するので、浮き上がり防止装置が装着された防油用仕切り部材の部分が水中に沈むことがない。
更に、液体収容体は第１の開口部から水路の水を注入したり第２の開口部から水路の水を排出したりすることができ、気体収容体は気体専用の開口部から空気を吸入したり排出することができるので、浮き上がり防止装置は液体も気体も入っていないコンパクト化した状態で水路の岸等の現地まで運び、その場にてポンプ等で液体収容体に水路の水を適宜注入すると共にポンプ等で気体収容体に空気を吸入することで、浮き上がり防止装置を形成することが可能である。浮き上がり防止装置を回収するときも、その場にてポンプ等で液体収容体から水路に水を排出すると共にポンプ等で気体収容体から空気を排出すればコンパクト化することができる。
【００１０】
そして、この発明に係る防油用仕切り部材の浮き上がり防止装置では、前記防油用仕切り部材への装着時に前記液体収容体の上側となる面に、前記液体収容体を吊り下げるための金具が設けられていることを特徴としている（請求項２）。
【００１１】
これにより、浮き上がり防止装置を水路の岸の急な傾斜面にその一部がかかるように配置する場合には、浮き上がり防止装置が水路内に滑り落ちないように金具に鎖等を通して浮き上がり防止装置を水路の岸の上側から吊り下げることが可能である。
【００１２】
また、この発明に係る防油用仕切り部材の浮き上がり防止装置では、前記防油用仕切り部材への装着時に前記液体収容体の下側となる面に、前記液体収容体の滑り止めのために複数の突出部が設けられていることを特徴としている（請求項３）。
【００１３】
これにより、浮き上がり防止装置を草地等の地盤として不安定な河岸にその一部がかかるように配置する場合には、浮き上がり防止装置が水路内に滑り落ちないように突起部を河岸に差し込んで浮き上がり防止装置を固定することが可能である。
【発明の効果】
【００１４】
以上のように、この発明によれば、液体収容体に河川の水等の液体を第１の開口部から注入することで、液体収容体は重量を増すので、浮き上がり防止装置について、ウエイトとしての役割を与えることができ、しかも液体が注入された液体収容体は外形が不定形状を成すので、浮き上がり防止装置を水路の岸に設置する際に、水路の岸の地形の影響を受けることを少なくすることができる。しかも、液体収容体に注入する液体量を可変することにより、液体が注入された液体収容体の重量を自在に調整することもできる。
【００１５】
また、この発明によれば、気体収容体に空気等の気体を気体専用の開口部から吸入することで、浮き上がり防止装置を水路の岸に設置した場合に、浮き上がり防止装置の水路内となる部位では気体収容体が浮きの機能を果たすので、浮き上がり防止装置の装着された防油用仕切り部材の部分が水中に沈んで、かかる箇所から油が下流に流れ出るという不具合を防止することが可能である。
【００１６】
更に、この発明によれば、液体収容体は第１の開口部から水路の水を注入したり第２の開口部から水路の水を排出したりすることができ、気体収容体は気体専用の開口部から空気を吸入したり排出することができるので、液体も気体も入っていないコンパクト化した状態で浮き上がり防止装置を水路の岸等の現地まで運び、その場にてポンプ等で液体収容体に水路の水を適宜注入すると共にポンプ等で気体収容体に空気を吸入することで、ウエイト及び浮き体として機能する浮き上がり防止装置を形成することが可能である。そして、浮き上がり防止装置を回収するときも、その場にてポンプ等で液体収容体から水路に水を排出すると共にポンプ等で気体収容体から空気を排出すれば、元のコンパクトな状態に戻る。よって、浮き上がり防止装置の運搬を簡易に行うことができる。
【００１７】
特に請求項２に記載の発明によれば、浮き上がり防止装置を水路の岸の急な傾斜面にその一部がかかるように配置する場合には、浮き上がり防止装置が水路内に滑り落ちないように金具に鎖等を通して浮き上がり防止装置を水路の岸の上側から吊り下げることが可能である。
【００１８】
特に請求項３に記載の発明によれば、浮き上がり防止装置を草地等の地盤として不安定な河岸にその一部がかかるように配置する場合には、浮き上がり防止装置が水路内に滑り落ちないように突起部を河岸に差し込んで浮き上がり防止装置を固定することが可能である。
【図面の簡単な説明】
【００１９】
【図１】図１は、この発明に係る防油用仕切り部材の浮き上がり防止装置の説明図であり、図１（ａ）は前記浮き上がり防止装置の平面図、図１（ｂ）は前記浮き上がり防止装置の側面図、図１（ｃ）は前記浮き上がり防止装置の底面図、図１（ｄ）は前記浮き上がり防止装置の正面図である。
【図２】図２は、図１に示される浮き上がり防止装置の拡大断面図であり、図２（ａ）は前記浮き上がり防止装置を防油用仕切り部材の軸方向に沿って切断した拡大断面、図２（ｂ）は前記浮き上がり防止装置を防油用仕切り部材の径方向に沿って切断した拡大断面である。
【図３】図３は、図１や図２に示される浮き上がり防止装置が変形可能であることを示す説明図である。
【図４】図４は、図１や図２に示される浮き上がり防止装置が水や空気を排出してしぼんだ状態を示す説明図である。
【図５】図５は、河川に渡らせた防油用仕切り部材に対し図１や図２に示される浮き上がり防止装置を河川と岸との境界部位に取り付けた状態を説明した説明図であり、図５（ａ）は浮き上がり防止装置を河川と岸との境界部位に取り付けた状態を側方から見た状態の説明図、図５（ｂ）は浮き上がり防止装置を河川と岸との境界部位に取り付けた状態を上方から見た状態の説明図である。
【図６】図６は、図１や図２に示される浮き上がり防止装置の変形例として上面に吊り下げ用の金具を設けた状態を示す説明図である。
【図７】図７は、図１や図２に示される浮き上がり防止装置の変形例として下面に複数の突出部を設けた状態を示す説明図である。
【図８】図８は、従来例として、図１や図２に示される浮き上がり防止装置を取り付けずに、防油用仕切り部材を河川に渡らせた状態を示す説明図である。
【発明を実施するための形態】
【００２０】
以下、この発明の実施形態を図面に基づいて説明する。
【００２１】
図１から図４において、防油用仕切り部材の１つであるオイルフェンス１０の所定部位の浮き上がりを防止するための浮き上がり防止装置１の一例が示されている。尚、オイルフェンス１０は、図２や図５に示されるように、水面に浮く筒状体を有し、複数の部材を組み付けて所要の寸法の長尺体に構成することができるものであるが、その構成は公知であるので説明を省略する。
【００２２】
浮き上がり防止装置１は、河川の水等を収容することができる液体収容体２と、この液体収容体２に内包されて空気等を収容することができる気体収容体３との二重構造になっている。
【００２３】
液体収容体２は、ゴム等の加撓性を有する合成樹脂素材で形成された薄肉の膜２ａを袋状としたもので、浮き上がり防止装置１の外形を構成し、この浮き上がり防止装置１をオイルフェンス１０に装着させるための装着部たる筒部２１を内包している。
【００２４】
筒部２１は、側部が液体収容体２の外面を成す膜２ａと一体形成されており、液体収容体２に水等が注入された状態で、液体収容体２内を略直線状に延びるようになっている。そして、筒部２１は、両側が液体収容体２の両側に開口する通孔２１ａを有し、通孔２１ａの内径寸法は、オイルフェンス１０に対し適宜に外挿することが可能大きさとなっている。もっとも、浮き上がり防止装置１をオイルフェンス１０に装着させるための装着部は、通孔２１ａを有する筒部２１とする代わりに、図示しないが、例えば下方に開口した逆Ｕ字状の窪み部としても良い。
【００２５】
また、液体収容体２は、水等を液体収容体２内に注入するための注入口部２２と、水等を液体収容体２から外部に排出するための排出口部２３とを有している。この実施例では、注入口部２２は、液体収容体２の上面のうち筒部２１の上方から外れた位置に配置されており、下記する気体収容体３よりも下方に注水できるように気体収容体３を上下方向に貫通した筒状となっている。そして、注入口部２２は、図２（ｂ）に示されるように、開閉弁２２ａを有したものとしても良い。これにより、河川の水等の液体が注入口部２２から液体収容体２に不用意に入ったり、液体収容体２内の河川の水等の液体が注入口部２２から不用意に出たりすることが防止される。
【００２６】
排出口部２３は、液体収容体２の下面に配置されているもので、その位置は特に限定されないが、液体収容体２内の液体が円滑に排出される位置であることが望まれる。そして、排出口部２３も、図２（ｂ）に示されるように、開閉弁２３ａを有したものとしても良い。これにより、液体収容体２内の河川の水等の液体が排出口部２３から不用意に出たり、河川の水等の液体が排出口部２３から液体収容体２に不用意に入ったりすることが防止される。
【００２７】
気体収容体３は、ゴム等の加撓性を有する合成樹脂素材で形成された薄肉の膜３ａを袋状としたもので、この実施例では、図２に示されるように、その上面が液体収容体２の上部の下面に接着されている。これにより、気体収容体３は、液体収容体２内のうちの筒部２１よりも上方に配置される。
【００２８】
そして、気体収容体３は、基本的には空気等の気体が常に蓄えられているものであるが、空気等の気体を気体収容体３に吸入し且つ空気等の気体を気体収容体３から排出するための吸排兼用開口部３１を有している。吸排兼用開口部３１は、この実施例では、気体収容体３の上面から液体収容体２の上部を突き抜けるかたちで設けられている。更に、吸排兼用開口部３１は、図２（ａ）に示されるように、開閉弁３１ａを有したものとしても良い。これにより、浮き上がり防止装置１の使用時には開閉弁３１ａを閉じた状態とし、浮き上がり防止装置１を使わないときに開閉弁３１ａを開いて気体収容体３から空気を抜くことができる。
【００２９】
このような構成とした浮き上がり防止装置１は、液体収容体２に注入口部２２から水等の液体を注入し、気体収容体３に吸排兼用開口部３１から空気を吸入することにより、図２に示されるように、液体収容体２内の水等の液体の量に応じて重量が増大するので、ウエイトとして機能すると共に、空気の入った気体収容体３が液体収容体２内の筒部２１よりも上方（直上）に配置された状態となる。
【００３０】
そして、浮き上がり防止装置１は、気体収容体３及びこの気体収容体３を内包する液体収容体２が加撓性を有するゴム等の合成樹脂素材等で成る袋体であることから、気体収容体３に空気が入り且つ液体収容体２に水等が入った状態でも不定形状となっており、これに伴い、図４に示されるように、ある程度自在に変形させることが可能である。また、気体収容体３から空気を抜き、液体収容体２から液体を抜くことにより、図５に示されるように、浮き上がり防止装置１全体をしぼませてコンパクトにすることも可能である。
【００３１】
よって、図５に示されるように、河川１１に流出した油が河川１１の下流側に拡大するのを防止するために、オイルフェンス１０の端側部位を岸１２の法面１２ａの上方にて杭等の支持物１３に取り付けて、オイルフェンス１０を河川１１に渡せる場合に、複数の部材を組み付けてオイルフェンス１０を構成するときに、現地にて液体収容体２に河川の水を注入口部２２から注入し且つ気体収容体３に空気を吸排兼用開口部３１から吸入して図２に示される浮き上がり防止装置１の状態とした後、オイルフェンス１０の組み付け前の構成部材を浮き上がり防止装置１の筒部２１の通孔２１ａに挿入し、この浮き上がり防止装置１が装着された状態の構成部材を他の構成部材と組み付けてオイルフェンス１０を構成する。そして、浮き上がり防止装置１が装着された状態の構成部材を図５に示されるように、河川１１と岸１２の法面１２ａとの境界部位になるようにし、浮き上がり防止装置１を外部から力を加える等して変形させ、図５（ａ）に示されるように、河川１１の水面と岸１２の法面１２ａとの間に隙間がなくなるようにする。
【００３２】
このように、浮き上がり防止装置１を河川１１と岸１２の法面１２ａとの境界部位に配置することにより、浮き上がり防止装置１は河川の水が入った液体収容体２がウエイトの役割を果たすので、オイルフェンス１０の支持物１３と浮き上がり防止装置１との間の部位１０ｂを張った状態にし、河川１１の水面と岸１２の法面１２ａとの間に隙間がなくなった状態を形成・維持することができる。そして、浮き上がり防止装置１の河川１１の水面に出た部位は、気体収容体３が浮きとなるので水中に沈まず、これに伴い、オイルフェンス１０の河川内の部位１０ａは全て河川１１の水面上に出た配置となるので、オイルフェンス１０の河川内の部位１０ａに水中に沈んだ部位が生じてこの部位から油が河川１１の下流側に流れるという不具合を防止することが可能となる。
【００３３】
尚、河川１１の岸１２の法面１２ａが急な傾斜面の条件下で、浮き上がり防止装置１を配置する場合には、浮き上がり防止装置１が岸１２の法面１２ａから滑り落ちないようにするため、図６に示されるように、浮き上がり防止装置１がオイルフェンス１０に装着される時に液体収容体２の上側となる面に、浮き上がり防止装置１を吊り下げるための例えば逆Ｕ字状の金具４を複数設けて、これらの金具４に図示しない鎖やロープ等を通して浮き上がり防止装置１を岸１２の法面１２ａの上側から吊り下げるようにしても良い。
【００３４】
また、河川１１の岸１２の傾斜面が自然のもので草地となっている条件下で、浮き上がり防止装置１を配置する場合には、浮き上がり防止装置１が岸１２の傾斜面から滑り落ちないようにするため、図７に示されるように、浮き上がり防止装置１がオイルフェンス１０に装着される時に液体収容体２の下側となる面に、複数の突起部５を設けて、これらの突起部５を岸１２の傾斜面に差し込むようにしても良い。
【符号の説明】
【００３５】
１  浮き上がり防止装置
２  液体収容体
２１  筒部（装着部）
２２  注入口部（第１の開口部）
２３  排出口部（第２の開口部）
３  気体収容体
３１  吸排兼用開口部（気体専用の開口部）
４  吊り上げ用金具
５  突起部
１０  オイルフェンス（防油用仕切り部材）
１１  河川
１２  岸
１３  支持物
【図１】
2015007322.tif 000003
【図２】
2015007322.tif 000004
【図３】
2015007322.tif 000005
【図４】
2015007322.tif 000006
【図５】
2015007322.tif 000007
【図６】
2015007322.tif 000008
【図７】
2015007322.tif 000009
【図８】
2015007322.tif 000010